(57)【特許請求の範囲】
【請求項１】
架設された幹線に対して一次側を電気的に接続して分岐させる分岐線を該幹線に支持させるべく、幹線に巻き掛けた分岐線の一次側を幹線に対して交差方向に延びる分岐線の二次側に巻き掛けて幹線に沿った状態にするための絶縁操作棒用先端工具であって、絶縁操作棒に連結可能に構成された連結部と、該連結部から延出した第一延出部と、該第一延出部に対して交差方向に延出した第二延出部と、前記第一延出部と第二延出部とを接続する接続部と、分岐線を保持可能に構成されて第二延出部の先端に連設されたケーブル保持部とを備えていることを特徴とする絶縁操作棒用先端工具。
【請求項２】
前記接続部は、曲率中心を第一延出部と第二延出部との内角側に位置させて円弧状に形成され、一端に第一延出部の先端が接続されるとともに他端に第二延出部の基端が接続されている請求項１記載の絶縁操作棒用先端工具。
【請求項３】
第一延出部は、連結部から略真っ直ぐに延出した直線部と、一端に直線部の先端が接続されるとともに他端に接続部が接続され、接続部と連続してＳ字状をなすように円弧状に形成された円弧部とを備えている請求項２記載の絶縁操作棒用先端工具。
【請求項４】
少なくとも第一延出部、第二延出部、及び接続部は、一本の線材を曲げ加工して一体的に形成されている請求項１乃至３の何れか１項に記載の絶縁操作棒用先端工具。
【請求項５】
前記ケーブル保持部は、間隔をあけて対向する一対の対向軸部と、一対の対向軸部の一端同士を連結する軸連結部とを備え、一方の対向軸部の他端が第二延出部の先端に接続され、一対の対向軸部間に嵌め込んだ分岐線を該一対の対向軸部で挟んで保持するように構成されている請求項１乃至４の何れか１項に記載の絶縁操作棒用先端工具。
【請求項６】
架設された幹線に対して一次側を電気的に接続して分岐させる分岐線を該幹線に支持させるべく、幹線に巻き掛けた分岐線の一次側を幹線に対して交差方向に延びる当該分岐線の二次側に巻き掛けて幹線に沿った状態にするための分岐線巻き付け方法において、幹線を境にして二分される第一領域及び第二領域に跨るように、幹線に対して分岐線を掛止させ、第一領域内にある分岐線の一次側及び第二領域内にある分岐線の二次側を幹線よりも下方側に位置させるように配置する分岐線配置工程と、絶縁操作棒を第一領域内に配置し、該絶縁操作棒に連結された連結部から延出する第一延出部に対して交差方向に延出する第二延出部が第二領域側から第一領域側に向けて延びるように、第一延出部と第二延出部とを接続する接続部及び第一延出部の少なくとも何れか一方を幹線の上方側に位置させ、第二延出部の先端部に連設されたケーブル保持部に第一領域内にある分岐線の一次側を保持させる分岐線保持工程と、分岐線の一次側をケーブル保持部に保持させた状態で、該ケーブル保持部を幹線回りで回転させるように絶縁操作棒を操作し、ケーブル保持部に保持させた分岐線の一次側を持ち上げて二次側と交差した状態にする分岐線巻工程と、分岐線巻工程の後、分岐線の一次側をケーブル保持部に保持させた状態で、絶縁操作棒をその軸線周りで回転させる分岐線巻掛け工程と、分岐線巻工程と同時又はその後に、分岐線の一次側をケーブル保持部に保持させた状態で、ケーブル保持部を幹線回りで回転させるように絶縁操作棒を操作し、分岐線の一次側の軸線が幹線の軸線を通る平面状の仮想面と平行又は略平行になるように、分岐線の一次側の姿勢を調整する分岐線姿勢調整工程とを備えていることを特徴とする分岐線巻き付け方法。
【請求項７】
前記接続部は、曲率中心を第一延出部と第二延出部との内角側に位置させて円弧状に形成され、一端に第一延出部の先端が接続されるとともに他端に第二延出部の基端が接続され、分岐線巻工程及び分岐線姿勢調整工程は、接続部を幹線又は分岐線に宛がった状態で絶縁操作棒を操作してケーブル保持部を回転させるようにした請求項６記載の分岐線巻き付け方法。
【請求項８】
前記接続部は、曲率中心を第一延出部と第二延出部との内角側に位置させて円弧状に形成され、一端に第一延出部の先端が接続されるとともに他端に第二延出部の基端が接続され、第一延出部は、連結部から略真っ直ぐに延出した直線部と、一端に直線部の先端が接続されるとともに他端に接続部が接続され、接続部と連続してＳ字状をなすように円弧状に形成された円弧部とを備え、分岐線巻工程及び分岐線姿勢調整工程は、接続部及び円弧部の少なくとも何れか一方を幹線又は分岐線に宛がった状態で絶縁操作棒を操作してケーブル保持部を回転させるようにした請求項６記載の分岐線巻き付け方法。
【請求項９】
前記ケーブル保持部は、間隔をあけて対向する一対の対向軸部と、一対の対向軸部の一端同士を連結する軸連結部とを備え、一方の対向軸部の他端が第二延出部の先端に接続され、一対の対向軸部間に嵌め込んだ分岐線を該一対の対向軸部で挟んで保持するように構成され、分岐線保持工程は、ケーブル保持部を分岐線の一次側に引っ掛けるようにして一対の対向軸部間に分岐線を嵌め込んで保持するようにした請求項６乃至８の何れか１項に記載の分岐線巻き付け方法。
【発明の詳細な説明】
【技術分野】
【０００１】
本発明は、幹線から分岐させる分岐線を幹線に巻き付けるための絶縁操作棒用先端工具及び分岐線巻き付け方法に関する。
【背景技術】
【０００２】
鉄塔や電柱に架設された配電線等の幹線から分岐する引下線等の分岐線は、一次側（一端部側）が幹線の導体に圧縮スリーブ等の接続具によって電気的に接続され、二次側が幹線に対して交差方向に延びるように配置されている。
【０００３】
そして、幹線に接続された分岐線を接続具からそのまま幹線に対して交差方向に延びるように配設すると、風等の影響によって分岐線に対して軸線方向と交差する方向に力が作用したときに、分岐線が幹線（接続具）から脱落する虞がある等といった理由から、幹線に対して分岐線を巻き付けた上で、接続具を介して分岐線の一端部を幹線に対して電気的に接続するようにしている。
【０００４】
すなわち、幹線から分岐線を分岐させる作業において、分岐線を幹線に支持させるべく、幹線に巻き掛けた分岐線の一次側を幹線に対して交差方向に延びる該分岐線の二次側に巻き掛けて幹線に沿った状態にした上で、分岐線の一次側を幹線に対して電気的に接続するようにしている。
【０００５】
そして、上述のように幹線から分岐線を分岐させる作業は、感電事故防止の観点から、絶縁操作棒や絶縁ヤットコ等を用いる間接活線作業によって行われる。かかる作業は、一般的に、二人がかりで行われる。すなわち、幹線から分岐線を分岐させるに際し、一方の作業者が幹線に対して交差するように配置された分岐線を幹線と共に絶縁ヤットコで挟み込んでその状態を維持させ、他方の作業者が絶縁ヤットコで分岐線の一次側を把持し、その絶縁ヤットコを操作することで幹線に分岐線を巻き付けて幹線に沿わせるようにしている。
【０００６】
ところで、幹線から分岐線を分岐させる作業は、上述のように絶縁ヤットコを用いて二人がかりで行わなければならない煩雑な作業であるとして、絶縁ヤットコによる分岐線の巻き付け作業を行うことなく幹線に対して分岐線を巻き付けることのできる巻付け工具が提供されている（例えば、特許文献１参照）。
【０００７】
かかる巻付け工具は、コの字状に成形された本体フレームの先端部にフレキシブル部が設けられる一方、本体フレームの基部に絶縁操作棒に連結する連結金具が取り付けられている。そして、該巻付け工具は、本体フレームの長手方向に適宜間隔をあけて分岐線を支持する複数の支持台が取り付けられるとともに、本体フレームの頂部に絶縁ヤットコで挟持するためのグリッパー把持部が設けられている。
【０００８】
上記構成の巻付け工具は、コの字状の本体フレームに沿わせた分岐線を各支持台に支持させた上で、フレキシブル部を外側に曲げて該フレキシブル部に沿った分岐線が外側に延出した状態にされ、該本体フレームが幹線に引っ掛けられる。そして、該巻付け工具は、本体フレームを幹線に引っ掛けた状態で、絶縁操作棒をその軸線周りで回転させ、グリッパー把持部をヤットコで把持して本体フレームを引き上げることで、支持部から分岐線が外れて該分岐線が幹線に対して巻き付けた状態になるように構成されている。
【特許文献１】特開平１０−３０９０１０号公報
【発明の開示】
【発明が解決しようとする課題】
【０００９】
しかしながら、前述の如く、上記構成の巻付け工具は、分岐線を本体フレームに沿わせる作業や、複数の支持台に分岐線を支持させる作業を行わなければならず、分岐線を幹線に巻き付けるまでの前段の作業が煩雑であり、作業者の作業負担の増大が必然的である。
【００１０】
また、本体フレームを幹線に引っ掛けた状態で絶縁操作棒を操作するのに併せて、グリッパー把持部を絶縁ヤットコで把持して引き上げる作業は、一人の作業者で行うには困難である。すなわち、絶縁操作棒に対する作業は、幹線よりも下方で行われるのに対し、絶縁ヤットコによるグリッパー把持部の把持及び引き上げ作業は、幹線よりも上方で行う作業であるため、両作業を一人の作業者で行うことが困難である。
【００１１】
さらに言えば、上記構成の巻付け工具は、幹線に引っ掛けた分岐線を単に捻るだけに留まり、後に分岐線の一次側を幹線に沿わせる作業や、幹線に対する巻き付け状態を修正する作業が必要となる結果、作業者の作業負担が逆に増大する可能性が大きいといった問題がある。
【００１２】
そこで、本発明は、斯かる実情に鑑み、作業者一人で幹線に対して分岐線を容易に巻き付けることのできる絶縁操作棒用先端工具及び分岐線巻き付け方法を提供することを課題とする。
【課題を解決するための手段】
【００１３】
本発明に係る絶縁操作棒用先端工具は、架設された幹線に対して一次側を電気的に接続して分岐させる分岐線を該幹線に支持させるべく、幹線に巻き掛けた分岐線の一次側を幹線に対して交差方向に延びる分岐線の二次側に巻き掛けて幹線に沿った状態にするための絶縁操作棒用先端工具であって、絶縁操作棒に連結可能に構成された連結部と、該連結部から延出した第一延出部と、該第一延出部に対して交差方向に延出した第二延出部と、前記第一延出部と第二延出部とを接続する接続部と、分岐線を保持可能に構成されて第二延出部の先端に連設されたケーブル保持部とを備えていることを特徴とする。
【００１４】
上記構成の絶縁操作棒用先端工具は、絶縁操作棒に連結可能に構成された連結部と、該連結部から延出した第一延出部と、該第一延出部に対して交差方向に延出した第二延出部と、前記第一延出部と第二延出部とを接続する接続部と、分岐線を保持可能に構成されて第二延出部の先端に連設されたケーブル保持部とを備えているので、一人の作業者が絶縁操作棒を操作することで、幹線に巻き掛けた分岐線の一次側を幹線に対して交差方向に延びる分岐線の二次側に巻き掛けて幹線に沿った状態にすることができる。
【００１５】
具体的に説明すると、幹線（幹線の軸線を通る仮想面であって、例えば、垂直方向に拡がる仮想面）を境に二分される第一領域及び第二領域（例えば、水平方向に二分される第一領域及び第二領域）に跨るように、幹線に対して分岐線を掛止させ、第一領域内にある分岐線の一次側及び第二領域内にある分岐線の二次側を幹線よりも下方側に位置させた上で、絶縁操作棒を第一領域内に配置し、該絶縁操作棒に連結された連結部から延出する第一延出部に対して交差方向に延出する第二延出部が第二領域側から第一領域側に向けて延びるように、第一延出部と第二延出部とを接続する接続部及び第一延出部の少なくとも何れか一方を幹線の上方側に位置させる。そして、ケーブル保持部に第一領域内にある分岐線の一次側を保持させる。
【００１６】
しかる後、分岐線の一次側をケーブル保持部に保持させた状態で、該ケーブル保持部を幹線回りで回転させるように絶縁操作棒を操作し、ケーブル保持部に保持させた分岐線の一次側を持ち上げて二次側と交差した状態にする。そして、ケーブル保持部に分岐線を保持させた状態で、絶縁操作棒をその軸線周りで回転させると、分岐線の一次側が該分岐線の二次側に巻き掛けられた状態になる。
【００１７】
そして、分岐線の一次側を二次側に交差させると同時、分岐線の一次側を二次側に巻き
掛けると同時、或いは、分岐線の一次側を二次側に巻き掛けた後に、分岐線の一次側をケ
ーブル保持部に保持させた状態で、ケーブル保持部を幹線回りで回転させるように絶縁操
作棒を操作し、分岐線の一次側の軸線が幹線の軸線を通る平面状の仮想面（第一領域と第
二領域とを区画する仮想面と直交する仮想面であって、例えば、水平方向に拡がる仮想面
）と平行又は略平行になるように、分岐線の一次側の姿勢を調整することで、分岐線の一
次側を二次側に巻き掛けた状態で幹線に沿わせた状態にすることができる。
【００１８】
本発明に係る絶縁操作棒用先端工具の一態様として、前記接続部は、曲率中心を第一延出部と第二延出部との内角側に位置させて円弧状に形成され、一端に第一延出部の先端が接続されるとともに他端に第二延出部の基端が接続されていることが好ましい。このようにすれば、円弧状の接続部を幹線又は分岐線に宛がうことができ、その当接位置を支点にしてケーブル保持部を幹線回りで容易に回転させることができる。
【００１９】
この場合、第一延出部は、連結部から略真っ直ぐに延出した直線部と、一端に直線部の先端が接続されるとともに他端に接続部が接続され、接続部と連続してＳ字状をなすように円弧状に形成された円弧部とを備えてもよい。このようにすれば、分岐線の一次側を持ち上げるときや、分岐線の一次側を幹線に沿わせた姿勢にするときに、接続部及び円弧部の少なくとも何れか一方を幹線又は分岐線に押し当てる（宛がう）ことができ、その当接位置を支点にしてケーブル保持部を幹線回りで容易に回転させることができる。
【００２０】
さらに、本発明に係る絶縁操作棒用先端工具の他態様として、少なくとも第一延出部、第二延出部、及び接続部は、一本の線材を曲げ加工して一体的に形成されてもよい。このようにすれば、構造を複雑化することなく取り扱いに優れたものにすることができる。
【００２１】
また、本発明に係る絶縁操作棒用先端工具の別の態様として、前記ケーブル保持部は、間隔をあけて対向する一対の対向軸部と、一対の対向軸部の一端同士を連結する軸連結部とを備え、一方の対向軸部の他端が第二延出部の先端に接続され、一対の対向軸部間に嵌め込んだ分岐線を該一対の対向軸部で挟んで保持するように構成されていることが好ましい。このようにすれば、分岐線を一対の対向軸部間に嵌め込むだけで該分岐線を確実に保持することができる。
【００２２】
本発明に係る分岐線巻き付け方法は、架設された幹線に対して一次側を電気的に接続して分岐させる分岐線を該幹線に支持させるべく、幹線に巻き掛けた分岐線の一次側を幹線に対して交差方向に延びる当該分岐線の二次側に巻き掛けて幹線に沿った状態にするための分岐線巻き付け方法において、幹線を境にして二分される第一領域及び第二領域に跨るように、幹線に対して分岐線を掛止させ、第一領域内にある分岐線の一次側及び第二領域内にある分岐線の二次側を幹線よりも下方側に位置させるように配置する分岐線配置工程と、絶縁操作棒を第一領域内に配置し、該絶縁操作棒に連結された連結部から延出する第一延出部に対して交差方向に延出する第二延出部が第二領域側から第一領域側に向けて延びるように、第一延出部と第二延出部とを接続する接続部及び第一延出部の少なくとも何れか一方を幹線の上方側に位置させ、第二延出部の先端部に連設されたケーブル保持部に第一領域内にある分岐線の一次側を保持させる分岐線保持工程と、分岐線の一次側をケーブル保持部に保持させた状態で、該ケーブル保持部を幹線回りで回転させるように絶縁操作棒を操作し、ケーブル保持部に保持させた分岐線の一次側を持ち上げて二次側と交差した状態にする分岐線巻工程と、分岐線巻工程の後、分岐線の一次側をケーブル保持部に保持させた状態で、絶縁操作棒をその軸線周りで回転させる分岐線巻掛け工程と、分岐線巻工程と同時又はその後に、分岐線の一次側をケーブル保持部に保持させた状態で、ケーブル保持部を幹線回りで回転させるように絶縁操作棒を操作し、分岐線の一次側の軸線が幹線の軸線を通る平面状の仮想面と平行又は略平行になるように、分岐線の一次側の姿勢を調整する分岐線姿勢調整工程とを備えていることを特徴とする。
【００２３】
上記構成の分岐線巻き付け方法によれば、一人の作業者が絶縁操作棒を操作することで、分岐線を上述のような態様で巻き付けることができる。具体的には、分岐線配置工程において、幹線を境にして二分される第一領域及び第二領域に跨るように、幹線に対して分岐線を掛止させ、第一領域内にある分岐線の一次側及び第二領域内にある分岐線の二次側を幹線よりも下方側に位置させるように配置するので、幹線に掛けられた分岐線は、幹線と交差する交点近傍がＵ字状の曲げられた状態になり、分岐線はその曲げ部の両側にある一次側及び二次側が幹線よりも下側に向けて延びた状態になる。
【００２４】
そして、分岐線保持工程において、絶縁操作棒を第一領域内に配置し、該絶縁操作棒に連結された連結部から延出する第一延出部に対して交差方向に延出する第二延出部が第二領域側から第一領域側に向けて延びるように、第一延出部と第二延出部とを連結する連結部及び第一延出部の少なくとも何れか一方を幹線の上方側に位置させ、第二延出部の先端部に連設されたケーブル保持部に第一領域内にある分岐線の一次側を保持させるので、ケーブル保持部に保持させた分岐線の一次側を持ち上げることのできる状態となる。
【００２５】
そして、分岐線巻工程において、分岐線の一次側をケーブル保持部に保持させた状態で、該ケーブル保持部を幹線回りで回転させるように絶縁操作棒を操作し、ケーブル保持部に保持させた分岐線の一次側を持ち上げて二次側と交差した状態にするので、分岐線の一次側が幹線回りに巻き掛けた状態になる。
【００２６】
そして、分岐線巻工程の後にされる分岐線巻掛け工程において、ケーブル保持部に分岐線を保持させた状態で、絶縁操作棒をその軸線周りで回転させるので、ケーブル保持部が絶縁操作棒の軸線を中心にして回転する結果、ケーブル保持部に保持された分岐線の一次側も追従して回転し、分岐線の一次側が該分岐線の二次側に巻き掛けられた状態となる。
【００２７】
そして、分岐線巻工程と同時又はその後にされる分岐線姿勢調整工程において、ケーブル保持部を幹線回りで回転させるように絶縁操作棒を操作し、分岐線の一次側の軸線が幹線の軸線を通る平面状の仮想面と平行又は略平行になるように、分岐線の一次側の姿勢を調整するので、分岐線の二次側に巻き掛けられた分岐線の一次側が幹線に沿った姿勢になる。
【００２８】
このように、上記構成の分岐線巻き付け方法は、一人の作業者が絶縁操作棒を連続的に操作することで幹線に対して分岐線を巻き付けることができる。
【００２９】
本発明に係る分岐線巻き付け方法の一態様として、前記接続部は、曲率中心を第一延出部と第二延出部との内角側に位置させて円弧状に形成され、一端に第一延出部の先端が接続されるとともに他端に第二延出部の基端が接続され、分岐線巻工程及び分岐線姿勢調整工程は、接続部を幹線又は分岐線に宛がった状態で絶縁操作棒を操作してケーブル保持部を回転させるようにしてもよい。このようにすれば、接続部と幹線又は分岐線との接触位置を支点にしてケーブル保持部を回転させることができるので、分岐線の一次側の持ち上げや姿勢変更を容易にすることができる。
【００３０】
本発明に係る分岐線巻き付け方法の他態様として、前記接続部は、曲率中心を第一延出部と第二延出部との内角側に位置させて円弧状に形成され、一端に第一延出部の先端が接続されるとともに他端に第二延出部の基端が接続され、第一延出部は、連結部から略真っ直ぐに延出した直線部と、一端に直線部の先端が接続されるとともに他端に接続部が接続され、接続部と連続してＳ字状をなすように円弧状に形成された円弧部とを備え、分岐線巻工程及び分岐線姿勢調整工程は、接続部及び円弧部の少なくとも何れか一方を幹線又は分岐線に宛がった状態で絶縁操作棒を操作してケーブル保持部を回転させるようにしてもよい。このように接続部及び円弧部の少なくとも何れか一方を幹線又は分岐線に宛がう（押し当てる）ことで、その接触位置を支点にしてケーブル保持部を回転させることができるので、分岐線の一次側の持ち上げや姿勢変更を容易にすることができる。
【００３１】
本発明に係る分岐線巻き付け方法の別の態様として、前記ケーブル保持部は、間隔をあけて対向する一対の対向軸部と、一対の対向軸部の一端同士を連結する軸連結部とを備え、一方の対向軸部の他端が第二延出部の先端に接続され、一対の対向軸部間に嵌め込んだ分岐線を該一対の対向軸部で挟んで保持するように構成され、分岐線保持工程は、ケーブル保持部を分岐線の一次側に引っ掛けるようにして一対の対向軸部間に分岐線を嵌め込んで保持するようにしてもよい。このようにすれば、ケーブル保持部に対する操作を行うことなく分岐線を保持することができる。
【発明の効果】
【００３２】
以上のように、本発明に係る絶縁操作棒用先端工具及び分岐線巻き付け方法によれば、作業者一人で幹線に対して分岐線を容易に巻き付けることができるという優れた効果を奏し得る。
【発明を実施するための最良の形態】
【００３３】
以下、本発明の一実施形態に係る絶縁操作棒用先端工具及び分岐線巻き付け方法について、添付図面を参照しつつ説明する。
【００３４】
本実施形態に係る絶縁操作棒用先端工具（以下、単に先端工具という）は、図１に示す如く、電柱（図示しない）間、或いは、鉄塔（図示しない）間に架設された幹線Ｃａに対して一次側を電気的に接続して分岐させる分岐線Ｃｂを該幹線Ｃａに支持させるべく、幹線Ｃａに巻き掛けた分岐線Ｃｂの一次側Ｃｂ１を幹線Ｃａに対して交差方向に延びる分岐線Ｃｂの二次側Ｃｂ２に巻き掛けて幹線Ｃａに沿った状態にするためのものである。
【００３５】
かかる幹線Ｃａとしては、低圧幹線や高圧配電線等が挙げられ、分岐線Ｃｂとしては、低圧引込線や高圧引下線等が挙げられる。
【００３６】
本実施形態おいては、幹線Ｃａとして高圧配電線を対象とし、分岐線Ｃｂとして高圧引下線を対象として説明する。ここで高圧配電線Ｃａ及び高圧引下線Ｃｂについて概略説明すると、高圧配電線Ｃａは幹線として鉄塔間に架設されたものである。これに対し、高圧引下線Ｃｂは、高圧配電線Ｃａに一次側（一端部）が接続具Ｊを介して電気的に接続され、二次側が高圧配電線Ｃａから垂下した態様で配設されるもので、該二次側が高圧配電線Ｃａよりも下方に配置された機器に電気的に接続される。なお、図１に示す高圧引下線Ｃｂは、高圧配電線Ｃａから垂下した二次側Ｃｂ２の途中位置が碍子（採番しない）に保持された上で高圧カットアウト（採番しない）に接続されている。このように、高圧引下線Ｃｂは、高圧配電線Ｃａに対して交差方向に延びるように配設されて風を受ける状態となっているため、該高圧引下線Ｃｂを高圧配電線Ｃａに巻き付けて支持させるようにしている。
【００３７】
本実施形態に係る先端工具は、図２（ａ）及び図２（ｂ）に示す如く、絶縁操作棒５に取り付けられて用いられるものである。ここで、前提となる絶縁操作棒５について概略説明すると、絶縁操作棒５は、電気絶縁性を有する棒状の操作棒本体５０と、操作棒本体５０の先端部に設けられ、複数種類の先端工具１を交換可能に構成されたジョイント部５１とを備えている。
【００３８】
前記操作棒本体５０は、基端側が把持領域に設定されており、該把持領域を持って操作するようになっている。
【００３９】
前記ジョイント部５１は、操作棒本体５０と略同心をなすように該操作棒本体５０の一端に連結されたジョイント部本体５１０と、ジョイント部本体５１０の先端に同心をなして連結された柱状部５１１とを備えている。
【００４０】
前記ジョイント部本体５１０は、外周にネジ溝が形成されおり、先端工具１（後述の連結部１０）を固定するための雌ねじ部材５１２が螺嵌されている。該雌ねじ部材５１２は、ジョイント部本体５１０の軸線方向に移動するように設けられており、連結部１０の後述する穴１００に柱状部５１１を挿入した状態で、該連結部１０を絶縁操作棒５の軸線方向に押すようになっている。
【００４１】
前記柱状部５１１は、外周に外方へ向けて突出した複数（図においては２つ）の係合突起５１３，５１３が設けられている。これにより、上述の如く、雌ねじ部材５１２が連結部１０を押した状態で、係合突起５１３，５１３が連結部１０（後述する第二スリット１０２）に係合するようになっている。なお、図２（ａ）及び図２（ｂ）に示す絶縁操作棒５は、ジョイント部本体５１０に螺嵌した雌ねじ部材５１２で連結部１０を固定するようにしているが、例えば、雌ねじ部材５１２に代えて、或いは、雌ねじ部材５１２と併設して、柱状部５１１の先端に該柱状部５１１と略同心をなして柱状部５１１の軸線方向に移動可能な付勢ピンが凸設されたものもある。該付勢ピンは、柱状部５１１の先端面から出退自在に設けられるとともに、柱状部５１１に内装されたバネ（図示しない）によって外方に付勢されており、連結部１０の後述する穴１００に柱状部５１１を挿入した状態で、該穴１００の内面を付勢ピンが絶縁操作棒５の軸線方向に付勢し、雌ねじ部材５１２と同様に連結部１０を押すようになっている。
【００４２】
本実施形態に係る先端工具１は、以上の絶縁操作棒５を前提にするもので、図３に示す如く、絶縁操作棒５（ジョイント部５１）に連結可能に構成された連結部１０と、該連結部１０の先端から延出した第一延出部１１と、該第一延出部１１に対して交差方向に延出した第二延出部１２と、前記第一延出部１１と第二延出部１２とを接続する接続部１３と、分岐線Ｃｂを保持可能に構成されて第二延出部１２の先端に連設されたケーブル保持部１４とを備えている。
【００４３】
前記連結部１０は、各種先端工具に設けられる連結部と共通した構成であり、絶縁操作棒５のジョイント部５１に着脱可能に構成されている。本実施形態に係る連結部１０は、上記構成のジョイント部５１に連結されるため、柱状部５１１が挿入される非貫通の穴１００が穿設されている。そして、該連結部１０は、一端から他端に向けて延びる第一スリット１０１と、該第一スリット１０１と交差する第二スリット１０２とが形成されており、第一スリット１０１と第二スリット１０２とがＴ字状をなしている。該第一スリット１０１及び第二スリット１０２は、内外を貫通するように形成されており、前記柱状部５１１を挿入するときに該柱状部５１１に突設された係合突起５１３，５１３の通過を許容するようになっている。
【００４４】
そして、柱状部５１１を連結部１０の穴１００に挿入して係合突起５１３，５１３が第一スリット１０２と第二スリット１０２との交点に到達した状態で、柱状部５１１及び連結部１０を軸線周りで相対回転させることで、係合突起５１３，５１３が第二スリット１０２内に誘導されるようになっている。これにより、ジョイント部５１の雌ねじ部材５１２を締め付けると、連結部１０が軸線方向に押される結果、係合突起５１３，５１３が第二スリット１０２を画定する周面に押し付けられ、ジョイント部５１に対して連結部１０が係合（固定）されるようになっている。
【００４５】
なお、上述の如く、柱状部５１１の先端に突設された付勢ピンが突設される場合には、柱状部５１１を連結部１０の穴１００に挿入した状態で、付勢突起が穴１００の奥部の面と当接し、連結部１０を軸線方向に付勢することになり、該付勢によって係合突起５１３，５１３が第二スリット１０２を画定する周面に押し付けられ、ジョイント部５１に対して連結部１０が固定される。
【００４６】
前記第一延出部１１は、連結部１０の軸線方向に沿うように延びている。すなわち、第一延出部１１は、連結部１０を絶縁操作棒５（ジョイント部５１）に連結した状態で、該絶縁操作棒５（操作棒本体５０）の軸線と同方向に延びるように形成されている。第一延出部１１は、弾性に優れたバネ鋼からなる線材で構成されている。これは、第一延出部１１に曲げ作用が生じても塑性変形しにくいようにするためである。そして、該第一延出部１１は、基端部が連結部１０に対して植え込まれており、強固に固定されている。
【００４７】
本実施形態に係る第一延出部１１は、連結部１０から略真っ直ぐに延出した直線部１１０と、一端に直線部１１０の先端が接続されるとともに他端に接続部１３が接続され、接続部１３と連続してＳ字状をなすように円弧状に形成された円弧部１１１とを備えている。前記直線部１１０は、連結部１０の軸線と同心、或いは略平行に設けられる。これに対し、円弧部１１１は、第一延出部１１と第二延出部１２との内角側に突出するように円弧状に形成されている。
【００４８】
本実施形態に係る第二延出部１２は、真っ直ぐに形成されており、第一延出部１１の先端側で該第一延出部１１と交差する方向に延びるように設けられている。第二延出部１２についても、第一延出部１１と同様に、弾性に優れたバネ鋼からなる線材で構成されている。第二延出部１２は、第一延出部１１に対して交差する方向に延出していればよいが、絶縁操作棒５の操作性を考慮すれば、第一延出部１１と第二延出部１２との内角が１００°以下、より好ましくは、４５°〜９０°に設定される。本実施形態においては第一延出部１１の直線部１１０と第二延出部１２とがそれぞれ真っ直ぐに形成されているので、これらの軸線を基準に内角が設定されるが、第一延出部１１及び第二延出部１２の少なくとも何れか一方が迂曲した態様で形成される場合には、それぞれの延出方向（中心線）を基準に内角を設定する。
【００４９】
前記接続部１３は、主として第一延出部１１と第二延出部１２とを接続する役目を担っているが、本実施形態においては、高圧引下線Ｃｂを操作する際の支点としても機能するようになっている。本実施形態に係る接続部１３は、曲率中心を第一延出部１１と第二延出部１２との内角側に位置させて円弧状に形成されている。そして、該接続部１３は、一端に第一延出部１１の先端が接続されるとともに、他端に第二延出部１２の基端が接続されている。すなわち、該接続部１３は、曲率半径が小さくなる内周側が第二延出部１２の伸長方向に向くように設けられている。接続部１３は、軸線が第一延出部１１及び第二延出部１２の軸線と連続線をなしている。
【００５０】
そして、本実施形態において、前記第一延出部１１が円弧部１１１を有しているため、上述の如く、円弧部１１１と接続部１３とが一体になって略Ｓ字を描くように形成されている。該接続部１３は、曲率半径が高圧配電線Ｃａ又は高圧引下線Ｃｂの半径以上で、且つ、高圧配電線Ｃａ又は高圧引下線Ｃｂの直径以下に設定されることが好ましく、円弧部１１１は、曲率半径が接続部１３よりも小さく設定されることが好ましい。
【００５１】
前記ケーブル保持部１４は、Ｕ字状、コの字状、或いはＶ字状等のフック形状に形成される。すなわち、間隔をあけて対向した一対の対向軸部１４０，１４０と、該一対の対向軸部１４０，１４０の一端同士を連結する軸連結部１４１とで構成され、一方の対向軸部１４０の他端が第二延出部１２の先端に連結されている。一対の対向軸部１４０，１４０は互いに平行、或いは、他端側の間隔が一端側よりも間隔が拡がるように設けられ、該一対の対向軸部１４０，１４０間に高圧引下線Ｃｂを嵌め込み可能になっている。前記軸連結部１４１は、一対の対向軸部１４０，１４０同士を連結できればよく、例えば、円弧状、直線状、或いは、山折り状に形成される。本実施形態において、前記軸連結部１４１は、円弧状に形成されており、ケーブル保持部１４全体がＵ字状に形成されている。これにより、ケーブル保持部１４は、高圧引下線Ｃｂを一対の対向軸部１４０，１４０間に嵌め込むことで、該高圧引下線Ｃｂを一対の対向軸部１４０，１４０で挟み込んで保持できるようになっている。本実施形態に係る先端工具１は、弾性に優れた一本の線材を曲げ加工することで、第一延出部１１、第二延出部１２、接続部１３及びケーブル保持部１４が一体的に形成されている。
【００５２】
本実施形態に係る先端工具１は、以上の構成からなり、次に、使用態様（高圧引下線Ｃｂの巻き付け方法）について説明する。
【００５３】
まず、図４（ａ）に示す如く、高圧配電線Ｃａ（高圧配電線Ｃａの軸線を通る垂直方向に拡がる第一仮想面：図示しない）を境にして二分される第一領域Ａ及び第二領域Ｂ（水平方向に二分される第一領域Ａ及び第二領域Ｂ）に跨るように、高圧配電線Ｃａに対して高圧引下線Ｃｂを掛止させ、第一領域Ａ内にある高圧引下線Ｃｂの一次側Ｃｂ１及び第二領域Ｂ内にある高圧引下線Ｃｂの二次側Ｃｂ２を高圧配電線Ｃａよりも下方側に位置させるように配置する（分岐線配置工程）。すなわち、高圧引下線Ｃｂが「へ」の字状、或いは、逆「Ｕ」字状になるように該高圧引下線Ｃｂを高圧配電線Ｃａに掛止させる。これにより、高圧引下線Ｃｂは、高圧配電線Ｃａと交差する交点Ｘよりも一次側Ｃｂ１及び二次側Ｃｂ２が高圧配電線Ｃａから垂下した状態となる。なお、図４及び図５において、第一領域Ａは高圧配電線Ｃａを基準に図面奥側であり、第二領域Ｂは高圧配電線Ｃａを基準に図面手前側である。
【００５４】
そして、図４（ｂ）に示す如く、絶縁操作棒５を第一領域Ａ内に配置し、第二延出部１２が第二領域Ｂ側から第一領域Ａ側に向けて延びるように、第一延出部１１及び接続部１３の少なくとも何れか一方を高圧配電線Ｃａの上方側に位置させる。そして、第二延出部１２の先端部に連設されたケーブル保持部１４に第一領域Ａ内にある高圧引下線Ｃｂの一次側Ｃｂ１を引っ掛けるようにして保持させる（分岐線保持工程）。
【００５５】
本実施形態に係る先端工具１は、ケーブル保持部１４を構成する一対の対向軸部１４０，１４０の間隔が高圧引下線Ｃｂの外径よりもやや狭い間隔に設定されており、上述の如く、一対の対向軸部１４０，１４０間に高圧引下線Ｃｂが嵌め込まれると、該高圧引下線Ｃｂが一対の対向軸部１４０，１４０に挟持された状態で保持されることになる。
【００５６】
しかる後、図４（ｃ）及び（ｄ）に示す如く、高圧引下線Ｃｂの一次側Ｃｂ１をケーブル保持部１４に保持させた状態で、該ケーブル保持部１４を高圧配電線Ｃａ回りで回転させるように絶縁操作棒５を操作する。
【００５７】
本実施形態に係る先端工具１は、接続部１３が円弧状に形成されているため、接続部１３を高圧配電線Ｃａ又は高圧引下線Ｃｂ（図においては、高圧配電線Ｃａ）に宛がった状態で先端工具１を回転させる。これにより、高圧配電線Ｃａ又は高圧引下線Ｃｂに対して先端工具１が位置決めされた状態で回転することになり、ケーブル保持部１４に保持させた高圧引下線Ｃｂが高圧配電線Ｃａに対して適正に巻き付けられることになる。
【００５８】
なお、本実施形態の先端工具１は、接続部１３と連続してＳ字状をなす円弧部１１１が形成されているので、図６に示す如く、接続部１３に代えて或いは接続部１３とともに円弧部１１１を高圧配電線Ｃａ又は高圧引下線Ｃｂに宛がう（押し当てる）ようにしてケーブル保持部１４を回転させるようにしてもよい。このようにしても、高圧配電線Ｃａに宛がわれた接続部１３及び円弧部１１１の少なくとも何れか一方と高圧配電線Ｃａ又は高圧引下線Ｃｂとの当接位置が支点となって先端工具１が回転することになる。
【００５９】
そして、上述の如く、先端工具１（ケーブル保持部１４）を回転させると、ケーブル保持部１４に保持させた高圧引下線Ｃｂの一次側Ｃｂ１が持ち上がる結果、ケーブル保持部１４に保持させた高圧引下線Ｃｂの一次側Ｃｂ１が該高圧引下線Ｃｂの二次側Ｃｂ２と交差した状態になる（分岐線巻工程）。
【００６０】
そして、図５（ａ）及び図５（ｂ）に示す如く、ケーブル保持部１４に高圧引下線Ｃｂを保持させた状態で、絶縁操作棒５をその軸線周りで回転させる（分岐線巻掛け工程）。そうすると、先端工具１の回転に伴って、ケーブル保持部１４の保持された高圧引下線Ｃｂの一次側Ｃｂ１が垂下状態にある高圧引下線Ｃｂの二次側Ｃｂ２に巻き掛けられた状態になる。
【００６１】
本実施形態においては、図５（ｂ）に示す如く、絶縁操作棒５をその軸回りで回転させるのと同時に、高圧配電線Ｃａ周りにケーブル保持部１４を回転させるように絶縁操作棒５を操作し、図５（ｃ）に示す如く、高圧引下線Ｃｂの一次側Ｃｂ１の軸線が高圧配電線Ｃａの軸線の通る平面状の仮想面（第一領域Ａと第二領域Ｂとを区画する第一仮想面と直交する第二仮想面であって、高圧配電線Ｃａの軸線を通って水平方向に拡がる第二仮想面：図示しない）と平行又は略平行になるように、高圧引下線Ｃｂの一次側Ｃｂ１の姿勢を調整する（分岐線姿勢調整工程）。
【００６２】
この場合においても、先端工具１を回転させる際に、接続部１３、及び円弧部１１１の少なくとも何れか一方を高圧配電線Ｃａ又は高圧引下線Ｃｂ（図においては、高圧配電線Ｃａ）に宛がった状態（押し当てた状態）で、先端工具１を回転させる（図６参照）。
【００６３】
これにより、高圧配電線Ｃａ又は高圧配電線Ｃｂに宛がわれた接続部１３及び円弧部１１１の少なくとも何れか一方と高圧配電線Ｃａ又は高圧引下線Ｃｂとの当接位置が支点となって先端工具１が回転することになる。すなわち、高圧配電線Ｃａ又は高圧引下線Ｃｂに対して先端工具１が位置決めされた状態で回転することになり、ケーブル保持部１４に保持させた高圧引下線Ｃｂが高圧配電線Ｃａに対して適正な姿勢で巻き付けられることになる。
【００６４】
その後、絶縁ヤットコを用いて接続具Ｊで高圧引下線Ｃｂの一次側Ｃｂ１と高圧配電線Ｃａとを電気的に接続し、図５（ｄ）に示す如く、高圧引下線Ｃｂが高圧配電線Ｃａから分岐された状態となる。そして、高圧引下線Ｃｂの二次側Ｃｂ２は、高圧配電線Ｃａよりも下方に配置された高圧カットアウト等の機器に電気的に接続されることなる。なお、本実施形態において、図４に示す如く、高圧引下線Ｃｂの一次側Ｃｂ１である一端部に予め接続具Ｊを取り付けた状態で、上述の如く、高圧配電線Ｃａに対して高圧引下線Ｃｂを巻き付けるようにしているが、接続具Ｊは、高圧配電線Ｃａに対して高圧引下線Ｃｂを巻き付けた後に取り付けるようにしても勿論よい。
【００６５】
以上のように、本実施形態に係る先端工具１は、絶縁操作棒５に連結可能に構成された連結部１０と、該連結部１０の先端から延出した第一延出部１１と、該第一延出部１１に対して交差方向に延出した第二延出部１２と、前記第一延出部１１と第二延出部１２とを接続する接続部１３と、高圧引下線Ｃｂを保持可能に構成されて第二延出部１２の先端に連設されたケーブル保持部１４とを備えているので、作業者一人が絶縁操作棒５を操るだけで高圧配電線Ｃａに対して高圧引下線Ｃｂを容易且つ適正に巻き付けることができる。
【００６６】
また、前記先端工具１は、前記接続部１３が曲率中心を第一延出部１１と第二延出部１２との内角側に位置させて円弧状に形成され、一端に第一延出部１１の先端が接続されるとともに他端に第二延出部１２の基端が接続されているので、ケーブル保持部１４を高圧配電線Ｃａ回りで回転させる際に、円弧状の接続部１３を高圧配電線Ｃａ又は高圧引下線Ｃｂに宛がうことができ、高圧配電線Ｃａと接続部１３との当接位置を支点にしてケーブル保持部１４を高圧配電線Ｃａ回りで容易に回転させることができる。
【００６７】
さらに、第一延出部１１は、連結部１０から略真っ直ぐに延出した直線部１１０と、一端に直線部１１０の先端が接続されるとともに他端に接続部１３が接続され、接続部１３と連続してＳ字状をなすように円弧状に形成された円弧部１１１とを備えているので、高圧引下線Ｃｂの一次側Ｃｂ１を持ち上げるときや、高圧引下線Ｃｂの一次側Ｃｂ１を高圧配電線Ｃａに沿わせた姿勢にするときに、円弧部１１１を高圧配電線Ｃａ又は高圧引下線Ｃｂに宛がうことができ、高圧配電線Ｃａと接続部１３との当接位置を支点にしてケーブル保持部１４を高圧配電線Ｃａ回りで容易に回転させることができる。
【００６８】
そして、本実施形態に係る高圧引下線Ｃｂの巻き付け方法は、上記構成の先端工具１を用いることを前提に、高圧配電線Ｃａを境にして二分される第一領域Ａ及び第二領域Ｂに跨るように、高圧配電線Ｃａに対して高圧引下線Ｃｂを掛止させ、第一領域Ａ内にある高圧引下線Ｃｂの一次側Ｃｂ１及び第二領域Ｂ内にある高圧引下線Ｃｂの二次側Ｃｂ２を高圧配電線Ｃａよりも下方側に位置させるように配置する分岐線配置工程と、絶縁操作棒５を第一領域Ａ内に配置し、第二延出部１２が第二領域Ｂ側から第一領域Ａ側に向けて延びるように、接続部１３及び第一延出部１１の少なくとも何れか一方を高圧配電線Ｃａの上方側に位置させ、ケーブル保持部１４に第一領域Ａ内にある高圧引下線Ｃｂの一次側Ｃｂ１を保持させる分岐線保持工程と、高圧引下線Ｃｂの一次側Ｃｂ１をケーブル保持部１４に保持させた状態で、該ケーブル保持部１４を高圧配電線Ｃａ回りで回転させるように絶縁操作棒５を操作し、ケーブル保持部１４に保持させた高圧引下線Ｃｂの一次側Ｃｂ１を持ち上げて二次側Ｃｂ２と交差した状態にする分岐線巻工程と、分岐線巻工程の後、ケーブル保持部１４に高圧引下線Ｃｂを保持させた状態で、絶縁操作棒５をその軸線周りで回転させる分岐線巻掛け工程と、分岐線巻工程と同時に、高圧引下線Ｃｂの二次側Ｃｂ２をケーブル保持部１４に保持させた状態で、ケーブル保持部１４を高圧配電線Ｃａ回りで回転させるように絶縁操作棒５を操作し、高圧引下線Ｃｂの一次側Ｃｂ１が高圧配電線Ｃａの軸線を通る仮想面（第二仮想面）と平行又は略平行になるように、高圧引下線Ｃｂの一次側Ｃｂ１の姿勢を調整する分岐線姿勢調整工程とを備えているので、作業者一人が絶縁操作棒５を操るだけで高圧配電線Ｃａに対して高圧引下線Ｃｂを容易且つ適正に巻き付けることができる。
【００６９】
そして、前記接続部１３は、曲率中心を第一延出部１１と第二延出部１２との内角側に位置させて円弧状に形成され、一端に第一延出部１１の先端が接続されるとともに他端に第二延出部１２の基端が接続され、分岐線巻工程及び分岐線姿勢調整工程は、接続部１３を高圧配電線Ｃａに宛がった状態で絶縁操作棒５を操作してケーブル保持部１４を回転させるようにしているので、接続部１３と高圧配電線Ｃａ又は高圧引下線Ｃｂとの接触位置を支点にしてケーブル保持部１４を回転させることができ、高圧引下線Ｃｂの一次側Ｃｂ１の持ち上げや姿勢変更を容易にすることができる。
【００７０】
また、第一延出部１１は、連結部１０から略真っ直ぐに延出した直線部１１０と、一端に直線部１１０の先端が接続されるとともに他端に接続部１３が接続され、接続部１３と連続してＳ字状をなすように円弧状に形成された円弧部１１１とを備え、分岐線巻工程及び分岐線姿勢調整工程は、円弧部１１１を高圧配電線Ｃａに宛がった状態で絶縁操作棒５を操作してケーブル保持部１４を回転させるようにしたので、円弧部１１１を高圧配電線Ｃａに宛がう（押し当てる）ことで、その接触位置を支点にしてケーブル保持部１４を回転させることができ、高圧引下線Ｃｂの一次側Ｃｂ１の持ち上げや姿勢変更を容易にすることができる。
【００７１】
尚、本発明は、上記実施形態に限定されるものではなく、本発明の要旨を逸脱しない範囲内において種々変更を加え得ることは勿論である。
【００７２】
上記実施形態において、先端工具１の接続部１３を円弧状に形成したが、これに限定されるものではなく、例えば、接続部１３は、屈曲形状に形成したものや、ブロック形状に形成したものであってもよい。この場合においても、高圧配電線Ｃａに掛けられた高圧引下線Ｃｂの一次側Ｃｂ１をケーブル保持部１４で保持するに際し、第一延出部１１及び接続部１３の少なくとも何れか一方を高圧配電線Ｃａの上方側に位置させるようにすれば、第二延出部１２を高圧引下線Ｃｂの二次側Ｃｂ２（引き下げ側）と交差した態様にしてケーブル保持部１４を高圧引下線Ｃｂの一次側Ｃｂ１に引っ掛けることのできる状態にすることができる。
【００７３】
上記実施形態において、第一延出部１１を直線部１１０と円弧部１１１とで構成したが、これに限定されるものではなく、例えば、第一延出部１１全体を直線状に形成してもよい。この場合においても、高圧配電線Ｃａに掛けられた高圧引下線Ｃｂの一次側Ｃｂ１をケーブル保持部１４で保持するに際し、接続部１３を高圧配電線Ｃａの上方側に位置させるようにすれば、該接続部１３に接続された第二延出部１２を高圧引下線Ｃｂの二次側Ｃｂ２（引き下げ側）と交差した態様にしてケーブル保持部１４を高圧引下線Ｃｂの一次側Ｃｂ１に引っ掛けることのできる状態にすることができる。
【００７４】
上記実施形態において、一本の線材を曲げ加工することで、第一延出部１１、接続部１３、及び第二延出部１２を一体的に形成するようにしたが、これに限定されるものではなく、例えば、第一延出部１１、接続部１３、及び第二延出部１２をそれぞれ独立した構成とし、これらを連結するようにしたものであってもよい。
【００７５】
また、第一延出部１１、第二延出部１２、及び接続部１３は、線状に形成されたものに限定されるものではなく、丸棒や角棒等の棒状のもので形成してもよい。また、第一延出部１１は、外径を先端側よりも基端側ほど大径に設定するようにしてもよい。
【００７６】
さらに、第一延出部１１は、円弧部１１１を設ける場合、必ずしも直線状の直線部１１０に円弧部１１１を接続したものに限定されず、例えば、連結部１０から迂曲した態様で延出した部位の先端に円弧部１１１を接続するようにしてもよい。また、第二延出部１２についても、真っ直ぐに延びたものに限定されるものではなく、蛇行した態様（Ｓ字が連続した態様）であってもよい。
【００７７】
上記実施形態において、ケーブル保持部１４をＵ字状に形成したが、これに限定されるものではなく、例えば、ケーブル保持部１４はコの字状やＶ字状等に形成されたものであってもよい。すなわち、ケーブル保持部１４は、高圧引下線Ｃｂを介装入でき、且つ介装入された高圧引下線Ｃｂを挟持可能な一対の対向軸部１４０，１４０を備えたものであればよい。また、ケーブル保持部１４は、一対の対向軸部１４０，１４０と軸連結部１４１とで構成されたものに限定されるものではなく、例えば、ケーブル保持部１４をクリップ状に形成して高圧引下線（分岐線）Ｃｂを挟持できるように構成してもよい。この場合、一本の線材を曲げ加工して第一延出部１１、第二延出部１２及び接続部１３を一体的に形成してもよいし、上述の如く、第一延出部１１、第二延出部１２、及び接続部１３のそれぞれを別体で形成して接続してもよい。
【００７８】
上記実施形態において、幹線としての高圧配電線Ｃａから分岐線としての高圧引下線Ｃｂを分岐させる場合を一例に説明したが、これに限定されるものではなく、幹線Ｃａとしての低圧幹線から分岐線Ｃｂとして低圧引込線を分岐させる場合であってもよい。すなわち、電柱又は鉄塔に架設された幹線Ｃａから分岐線Ｃｂを分岐させる場合であって、幹線Ｃａに分岐線Ｃｂを巻き付けて該分岐線Ｃｂを幹線Ｃａに支持させるものであれば、本発明は、幹線Ｃａ及び分岐線Ｃｂの種類を問うものではない。
【００７９】
上記実施形態において、分岐線姿勢調整工程を分岐線巻掛け工程と同時に行うようにしたが、これに限定されるものではなく、分岐線姿勢調整工程を分岐線巻工程と同時に行ったり、分岐線姿勢調整工程を分岐線巻掛け工程後に行ったりしてもよい。すなわち、幹線Ｃａに対して分岐線Ｃｂの一次側Ｃｂ１を巻き付けて、その一次側Ｃｂ１の姿勢を調整した上で、該一次側Ｃｂ１を二次側Ｃｂ２に巻き掛けてもよいし、分岐線Ｃｂの一次側Ｃｂ１を二次側Ｃｂ２に巻き掛けた後に、分岐線Ｃｂの一次側Ｃｂ１の姿勢を調整してもよい。
【図面の簡単な説明】
【００８０】
【図１】本発明の一実施形態に係る先端工具を用いた作業の対象とされる高圧配電線（幹線）及び高圧引下線（分岐線）の説明図を示す。
【図２】同実施形態に係る先端工具（絶縁操作棒用先端工具）及び絶縁操作棒の斜視図であって、（ａ）は、先端工具と絶縁操作棒とを分離させた状態を示し、（ｂ）は、絶縁操作棒に先端工具を連結した状態を示す。
【図３】同実施形態に係る先端工具の全体斜視図を示す。
【図４】同実施形態に係る先端工具の使用方法の説明図であって、（ａ）は、高圧配電線に高圧引下線を掛けた状態（分岐線配置工程）を示し、（ｂ）は、先端工具のケーブル保持部を高圧引下線に引っ掛ける状態（分岐線保持工程）を示し、（ｃ）は、ケーブル保持部に高圧引下線を引っ掛けて該高圧引下線を持ち上げる際の初期の状態（分岐線巻工程）を示し、（ｄ）は、（ｃ）の状態から高圧引下線をさらに持ち上げた状態（分岐線巻工程）を示す。
【図５】同実施形態に係る先端工具の使用方法の説明図であって、（ａ）は、絶縁操作棒をその軸線回りで回転させ、ケーブル保持部に高圧引下線を保持させた先端工具を絶縁操作棒の軸線回りで回転させつつ高圧引下線の一次側の姿勢を調整する状態（分岐線巻掛け工程及び分岐線姿勢調整工程）を示し、（ｂ）は、（ａ）の状態から絶縁操作棒をその軸線回りで回転させ、ケーブル保持部に高圧引下線を保持させた先端工具を絶縁操作棒の軸線回りで回転させつつ高圧引下線の一次側の姿勢を調整する状態（分岐線巻掛け工程及び分岐線姿勢調整工程）を示し、（ｃ）は、高圧引下線の一次側の姿勢が高圧配電線に沿った状態を示し、（ｄ）は、高圧配電線に沿った高圧引下線の一次側を接続具で高圧配電線に電気的に接続した状態を示す。
【図６】同実施形態に係る先端工具の使用方法の説明図であって、第一延出部の円弧部を高圧配電線又は高圧引下線に宛がった状態で、高圧引下線の一次側を上下させる状態を示す。
【符号の説明】
【００８１】
１…先端工具（絶縁操作棒用先端工具）、５…絶縁操作棒、１０…連結部、１１…第一延出部、１２…第二延出部、１３…接続部、１４…ケーブル保持部、５０…操作棒本体、５１…ジョイント部、１００…穴、１０１…第一スリット、１０２…第二スリット、１１０…直線部、１１１…円弧部、１４０…対向軸部、１４１…軸連結部、５１０…ジョイント部本体、５１１…柱状部、５１２…雌ねじ部材、５１３…係合突起、Ｃａ…高圧配電線（幹線）、Ｃｂ…高圧引下線（分岐線）、Ｃｂ１…高圧引下線（分岐線）の一次側、Ｃｂ２…高圧引下線（分岐線）の二次側、Ｊ…接続具、Ｘ…交点
【図１】
0005094569.tif 000002
【図２】
0005094569.tif 000003
【図３】
0005094569.tif 000004
【図４】
0005094569.tif 000005
【図５】
0005094569.tif 000006
【図６】
0005094569.tif 000007